(57)【要約】      （修正有）【課題】装着性がよく、目元の装飾性に優れ、しかも使用者の望む色や模様で楽しむことが可能な化粧用テープを提供する。【解決手段】上目瞼に貼り付けて用いるシート状の化粧用テープ１であって、所定の色を有する表面１０と接着層の形成された裏面とを有し、表面は、使用時に使用者の眉側に位置し、濃い色を有する上方部１２と、まつげ側に位置し、使用時に使用者が任意の色に着色できる色を有する下方部１６とを有し、湾曲した形状を有し、長手方向中央部分に位置する中央部分の１方側に偏奇した箇所Ｃを頂部として、１方側であるＢ側よりも他方側であるＡ側の方がより下方に位置するように、湾曲した形状を有する。【選択図】図１
0003218983.tif 000002
【実用新案登録請求の範囲】
【請求項１】
上目瞼に貼り付けて用いるシート状の化粧用テープであって、
所定の色を有する表面と接着層の形成された裏面とを有し、
表面は、使用時に使用者の眉側に位置し、濃い色を有する上方部と、まつげ側に位置し、使用時に使用者が任意の色に着色できる色を有する下方部とを有する
化粧用テープ。
【請求項２】
湾曲した形状を有し、長手方向中央部分に位置する中央部分の１方側に偏奇した箇所を頂部として、１方側よりも他方側の方がより下方に位置するように、湾曲した形状を有することを特徴とする請求項１記載の化粧用テープ。
【請求項３】
上記上方部と上記下方部とは、それぞれ形状が異なり、上記上方部は１方側と他方側とが中央部分よりも細く、尖った形状となるように形成されており、上記下方部は一歩王側と他方側のいずれにおいても上記上方部よりも幅広に形成されていることを特徴とする請求項１記載の化粧用テープ。
【考案の詳細な説明】
【技術分野】
【０００１】
本考案は、使用者が自分の好きな色やデザインで目元のおしゃれを気軽に楽しむことができる、アイラインの化粧用の化粧テープに関するものである。
【背景技術】
【０００２】
化粧を行うに際して、簡易に目元を装飾するためのアイラインテープが種々提案されている。
たとえば、特許文献１には、防水機能を有し、不用意に手で触れても外れにくく、パターンが無くなることを防ぐアイテープとして、離型紙パッド層、両面接着層、化粧層及び保護膜層を備え、両面接着層は、２つの表面を有し、２つの表面のうちの一方の表面が離型パッド層上に接着され、化粧層は、色彩及びパターンのうちの少なくとも何れか１つを含んだフィルムであり、２つの表面を有し、化粧層の何れか１つの表面が両面接着層の他方の表面に接着され、保護膜層は、粘着性表面を有し、粘着性表面は、化粧層の他方の表面に接着され、離型紙パッド層、両面接着層、化粧層及び保護膜層の形状は、左右両端が細くて中間部分が太く、多少湾曲された形状に形成され、上眼瞼溝の弧度に合致するアイテープが提案されている。  また、特許文献２には、脂肪分が少ない薄い瞼のユーザーが使用した場合でも、装着時のごわごわとした違和感を解消可能な二重瞼形成用テープとして、テープ状合成樹脂と、前記テープ状合成樹脂の両面又は片面に設けられた粘着剤層と、を有する、使用時に延伸させて使用する延伸型二重瞼形成用テープにおいて、前記テープ状合成樹脂の表面が乾式処理されたものである延伸型二重瞼形成用テープが提案されている。
【先行技術文献】
【特許文献】
【０００３】
【特許文献１】実用新案登録第3209509号公報
【特許文献１】特許第6329309号公報
【考案の概要】
【考案が解決しようとする課題】
【０００４】
しかしながら、従来提案されている化粧用テープは、すでに各種の色が設定されており、化粧用テープに施された色で化粧を楽しむように作られており、使用者が自由に彩色して楽しむようには作られていなかった。
要するに、装着性がよく、目元の装飾性に優れ、しかも使用者の望む色や模様で楽しむことが可能な化粧用テープの開発が要望されている。
【０００５】
したがって、本考案の目的は、装着性がよく、目元の装飾性に優れ、しかも使用者の望む色や模様で楽しむことが可能な化粧用テープを提供することにある。
【課題を解決するための手段】
【０００６】
本考案者らは、上記課題を解消すべく鋭意検討した結果、化粧用テープを上下に２分割し、その下側のみを彩色可能とすることにより上記目的を達成し得ることを知見し、本考案を完成するに至った。
すなわち、本考案は以下の各考案を提供するものである。
１．上目瞼に貼り付けて用いるシート状の化粧用テープであって、
所定の色を有する表面と接着層の形成された裏面とを有し、
表面は、使用時に使用者の眉側に位置し、濃い色を有する上方部と、まつげ側に位置し、使用時に使用者が任意の色に着色できる色を有する下方部とを有する
化粧用テープ。
２．湾曲した形状を有し、長手方向中央部分に位置する中央部分の１方側に偏奇した箇所を頂部として、１方側よりも他方側の方がより下方に位置するように、湾曲した形状を有することを特徴とする１記載の化粧用テープ。
３．上記上方部と上記下方部とは、それぞれ形状が異なり、上記上方部は１方側と他方側とが中央部分よりも細く、尖った形状となるように形成されており、上記下方部は一歩王側と他方側のいずれにおいても上記上方部よりも幅広に形成されていることを特徴とする１記載の化粧用テープ。
【考案の効果】
【０００７】
本考案の化粧用テープは、装着性がよく、目元の装飾性に優れ、しかも使用者の望む色や模様で楽しむことが可能なものである。
【図面の簡単な説明】
【０００８】
【図１】図１は、実施形態の化粧用テープの平面図である。
【図２】図２は、図１に示す化粧用テープのII-II断面を模式的に示す断面図である。
【図３】図３は、他の態様の化粧用テープの断面図（図２相当図）である。
【図４】図４は、図１に示す化粧用テープの使用態様図（商品として販売するときの状態を表す図）である。
【図５】図５は、図１に示す化粧用テープの使用態様図（実際に化粧に使用するときの態様を示す図）である。
【符号の説明】
【０００９】
１  化粧用テープ、１０表面、２０裏面、１２上方部、１６下方部
【考案を実施するための形態】
【００１０】
以下、本考案をさらに詳細に説明する。
本考案の化粧用テープ１は、上目瞼に貼り付けて用いるシート状の化粧用テープであって、図１及び２に示すように、所定の色を有する表面１０と接着層２２の形成された裏面２０（図２参照）とを有し、
表面１０は、使用時に使用者の眉側に位置し、濃い色を有する上方部１２と、まつげ側に位置し、使用時に使用者が任意の色に着色できる色を有する下方部１６とを有する。
上方部１２における上記の「濃い色」とは、いわゆる肌色よりも濃い色を意味し、明度で４以上、更には４〜７が好ましい。なお色そのものは、用いる人種により白色に近い色、ベージュ系、黒色等種々採用可能であり、また彩度も色により種々変更可能である。また、下方部１６における上記の「着色できる色」とは、肌色よりも白色に近い色であり、明度で３以下、更には３〜１が好ましい。全くの白色とすると使用時に違和感が生じやすいので明度０でないほうが好ましい。
なお、好ましくは下方部１６の色は肌色に白が少々のっているような色とするのが好ましく、このような色とすることで、通常、日本人が実際に瞼に貼り付けた際には真っ白いラインが形成されているように見える。
本明細書において、上方というときは使用時に使用者の眉毛側に位置することを想定して形成された方向を意味し、下方というときは使用時に使用者のまつ毛側に眉毛側に位置することを想定して形成された方向を意味する。
以下、さらに詳細に説明する。
【００１１】
本実施形態の化粧用テープ１は、図１に示すように、目の形状に即して湾曲した形状となされており、長手方向中央部分に位置する中央部分の内方A側に偏奇した箇所Cを頂部として、他方側である内方側（図１のA側、目頭側）の方がよりも１方側である外方側（図１のB側、目尻側）より下方に位置するようになされている。ここで、内方側は使用時に使用者の目頭側に位置することを想定している方向であり、外方側は使用時に使用者の目尻側に位置することを想定している方向である。ただし、これらの想定とは異なる方向に使用することを排除するものではない。
また、上方部１２と下方部１６とは、それぞれ形状が異なり、上方部１２は内方側と外方側とが中央部分Cよりも細くなるように形成されており、内方側及び外方側においては先端が鋭角を形成する頂点となるように尖った形状となされている。これに対して、下方部１６は、内方側は中央部分に比して少し細くなるようになされており、外方側は上方に跳ね上げるように細くされて末端が尖った形状となされている。また、内方側及び外方側のいずれにおいても上方部１２よりも下方部１６の方が幅広に形成されている。このように上方部１２及び下方部１６を構成することで、上まぶたへのフィット感と自分で彩色などを行う下方部による意匠効果とのバランスがよくなり、より優れた化粧効果を得ることができる。
上方部１２と下方部１６との太さは任意であるが、頂部を形成する箇所Cにおいて上方部の幅W1：下方部の幅W2が、１〜３：１であるのが好ましく、１〜２：１であるのが好ましい。このような範囲で上方部を太くすることにより、フィット感と意匠効果の両立を図ることが可能となる。
【００１２】
次に図２を参照して、本実施形態の化粧用テープの層構造について説明する。
本実施形態の化粧用テープ１は、テープ本体２と、その裏面側に形成されている接着層２２と、テープ本体２の表面側に形成されている上方部形成層１２ａとからなる。
すなわち、下方部１６はテープ本体２そのものが露出することで形成されている。
これらの角層は、非常に薄く形成されており、全ての層が１ｍｍ以下、好ましくは、数μｍ〜数１００μｍの厚みをもって形成されている。このような厚みは従来のアイラインテープなどの化粧用テープと同様である。
また、本実施形態の化粧用テープ１は、図３に示すように形成することもできる。すなわち、図２に示す例と同様に、テープ本体２と、その裏面側に形成されている接着層２２と、テープ本体２の表面側に形成されている上方部形成層１２ａとからなる。そして、更に下方部形成層１６ａが設けられて、下方部１６が形成されている。
【００１３】
上述のように構成された本実施形態の化粧用テープは、通常の材料を用いて形成する事ができる。すなわち、化粧用テープ１のテープ本体２は、通常、この種のテープの形成に用いられる、ポリエステル樹脂等を材質とする柔軟なフィルム材料を特に制限なく用いて形成することが可能である。なお、図２に示す形態においては、テープ本体の色は下方部１６の色を構成するので、下方部１６の色と同じ色の材料を用いる必要がある。図３に示す形態においては、色は特に制限なれない。また、下方部１２をテープ本体２が形成するため、着色に適した材料とするのが好ましい。また、接着層２２は、皮膚に炎症を起こしにくい医療用のアクリル系粘着剤などを用いて形成することができる。上方部形成層１２ａや図３に示す下方部形成層１６ａは、テープ本体に通常この種のテープ材に対して彩色される着色剤を用いて形成することができる。
【００１４】
本実施形態の化粧テープは、常法に従い、フィルム材料を薄膜シート化してテープ本体の前駆体シートを形成し、得られた前駆体シートを所定の形状、すなわち、図１に示す平面形状となるように切り出してテープ本体を形成する。ついで、得られたテープ本体の一面（裏面となる面）に粘着剤成分を塗工して接着剤層を形成する。更に他面（表面を形成する層）に、着色剤を塗工して上方部形成層、又は上方部形成層及び下方部形成層を形成することで、得ることができる。
なお、通常は本実施形態の化粧用テープは左目用として形成されているが、図４に示すように右目用も同様に形成され、複数個を１枚の剥離シート１００に貼り付けて、商品化される。
【００１５】
本実施形態の化粧用テープ１は、図４に示すように、剥離シートに複数の右目用および左目用の化粧用テープを貼り付けた形態で商品化されるものであるが、この内の一つを剥離シートより剥離して、図５に示すように上まぶたに貼り付けることで使用できる。この際、上方部１２を眉毛側に位置させ、下方部１６の下端がまつげの上に位置するように、接着層を皮膚に当接させて貼り付けることで使用できる。そして、貼り付ける前に下方部に所望の色彩を着色し、使用者の好みの色合い、模様を形成して、好みにアイラインを形成するように使用できる。
【００１６】
本実施形態の化粧用テープ１は、図５に示すように上まぶたに貼り付けて使用する事ができ、その下方部１６に使用者の好みの色や模様を書き込むことができるので、従来の化粧用テープより意匠効果の高いものである。また、上方部の形状を図１に示すように内方側及び外方側のいずれも中央部よりも細く尖った形状とし、且つ下方部の形状をほぼ太さが変わらない形状とすることで、より装着性に優れ、優れた使用感と装着によるアイラインの形成効果による意匠性とを両立することができる。
一般的に化粧は直接顔にするもので、特に目の周りの化粧は化粧をする対象が瞼などになり、化粧をしたい目はつむった状態で化粧をすることになる。そのため化粧をする目の反対側の目で見ながらの作業になり、左右非対称になるなど化粧のスキルや経験により、化粧の出来栄えにかなりの差ができてしまう。この点、本考案の化粧用テープを用いると、事前に絵を描くイメージでデザインし彩色・描画でき、彩色・描画した化粧用テープを瞼に貼り付けることで、左右の目で出来栄えが異なってしまうような、スキルや経験の差を気にすることなく、思い通りの化粧を行うことができる。
【００１７】
なお、本考案は上述の実施形態に何ら制限されるものではなく、本考案の趣旨を逸脱しない範囲で種々変更可能である。
たとえば、上方部の形状は上述の形状に限定されるものではなく、両側が尖った形状でなくても良い。
【図１】
0003218983.tif 000003
【図２】
0003218983.tif 000004
【図３】
0003218983.tif 000005
【図４】
0003218983.tif 000006
【図５】
0003218983.tif 000007
【手続補正書】
【提出日】平成30年9月21日(2018.9.21)
【手続補正１】
【補正対象書類名】実用新案登録請求の範囲
【補正対象項目名】全文
【補正方法】変更
【補正の内容】
【実用新案登録請求の範囲】
【請求項１】
上目瞼に貼り付けて用いるシート状の化粧用テープであって、
所定の色を有する表面と接着層の形成された裏面とを有し、
表面は、使用時に使用者の眉側に位置し、濃い色を有する上方部と、まつげ側に位置し、使用時に使用者が任意の色に着色できる色を有する下方部とを有する
化粧用テープ。
【請求項２】
湾曲した形状を有し、長手方向中央部分に位置する中央部分の１方側に偏奇した箇所を頂部として、１方側よりも他方側の方がより下方に位置するように、湾曲した形状を有することを特徴とする請求項１記載の化粧用テープ。
【請求項３】
上記上方部と上記下方部とは、それぞれ形状が異なり、上記上方部は１方側と他方側とが中央部分よりも細く、尖った形状となるように形成されており、上記下方部は１方側と他方側のいずれにおいても上記上方部よりも幅広に形成されていることを特徴とする請求項１記載の化粧用テープ。